【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
遊技盤面に、球の入賞が可能な始動入賞口と、各種図柄をそれぞれ表示可能な複数の表示領域を備えた可変表示手段を有し、該始動入賞口への球の入賞に基づいて、該複数の表示領域で該各種図柄のスクロール表示を開始するとともに、所定時間経過後に該各種図柄のスクロール表示を停止する図柄変動遊技を実行する図柄変動実行手段を備え、該図柄変動遊技の結果として、該複数の表示領域に停止した図柄の組合せが予め定めた大当りに相当した場合に、遊技者に有利な特賞状態を発生させる遊技機において、
前記図柄変動遊技の開始前に、前記図柄変動遊技で前記各表示領域に図柄が停止する順番を示す図柄停止パターンを抽選する図柄停止抽選手段を備え、
前記図柄変動実行手段は、前記各種図柄をスクロール表示する際に、特定の図柄を複数個連続して出現させることで、該特定の図柄が他の図柄よりも高い確率で出現するようにするとともに、前記所定時間が経過すると、前記図柄停止抽選手段により抽選された図柄停止パターンに対応した順番で、前記各種表示領域に図柄を停止させることを特徴とする遊技機。
【請求項２】
前記図柄変動実行手段は、前記各種図柄をスクロール表示する際に、前記表示領域毎に異なる種類の特定の図柄を複数個連続して出現させることを特徴とする請求項１記載の遊技機。
【手続補正２】
【補正対象書類名】明細書
【補正対象項目名】０００７
【補正方法】変更
【補正の内容】
【０００７】
本発明は、以上のような従来技術が有する問題点に着目してなされたもので、可変表示遊技において各種図柄をスクロール表示する際に、特定の図柄のみを複数個連続して出現させることで、特定の図柄が他の図柄よりも高い確率で出現するようにするとともに、各種表示領域に図柄が停止する順番を変化させることにより、可変表示手段での図柄変動遊技に関して娯楽性を高めて、遊技者の期待感や視覚的面白味を十分に満たすことができる遊技機の提供を目的としている。
【手続補正３】
【補正対象書類名】明細書
【補正対象項目名】０００８
【補正方法】変更
【補正の内容】
【０００８】
【課題を解決するための手段】
前述した目的を達成するための本発明の要旨とするところは、次の各項に存する。
［１］遊技盤面（１１）に、球の入賞が可能な始動入賞口（２０）と、各種図柄をそれぞれ表示可能な複数の表示領域を備えた可変表示手段（３０）を有し、該始動入賞口（２０）への球の入賞に基づいて、該複数の表示領域で該各種図柄のスクロール表示を開始するとともに、所定時間経過後に該各種図柄のスクロール表示を停止する図柄変動遊技を実行する図柄変動実行手段（１２０Ｄ）を備え、該図柄変動遊技の結果として、該複数の表示領域に停止した図柄の組合せが予め定めた大当りに相当した場合に、遊技者に有利な特賞状態を発生させる遊技機（１０）において、
前記図柄変動遊技の開始前に、前記図柄変動遊技で前記各表示領域に図柄が停止する順番を示す図柄停止パターンを抽選する図柄停止抽選手段（１２０Ｅ）を備え、
前記図柄変動実行手段（１２０Ｄ）は、前記各種図柄をスクロール表示する際に、特定の図柄を複数個連続して出現させることで、該特定の図柄が他の図柄よりも高い確率で出現するようにするとともに、前記所定時間が経過すると、前記図柄停止抽選手段（１２０Ｅ）により抽選された図柄停止パターンに対応した順番で、前記各種表示領域に図柄を停止させることを特徴とする遊技機（１０）。
【手続補正４】
【補正対象書類名】明細書
【補正対象項目名】０００９
【補正方法】変更
【補正の内容】
【０００９】
［２］前記図柄変動実行手段（１２０Ｄ）は、前記各種図柄をスクロール表示する際に、前記表示領域毎に異なる種類の特定の図柄を複数個連続して出現させることを特徴とする請求項１記載の遊技機（１０）。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
次に、前記解決手段に基づく作用を説明する。
本発明に係る遊技機（１０）によれば、遊技盤面（１１）上に打ち出された球が始動入賞口（２０）にうまく入賞すると、それに基づき、可変表示手段（３０）で図柄変動遊技が開始される。すなわち、可変表示手段（３０）の各表示領域毎に、各種図柄がスクロールして表示された後、無作為な順番で各表示領域に、何れか１つずつ図柄が停止表示される。
【手続補正８】
【補正対象書類名】明細書
【補正対象項目名】００１４
【補正方法】変更
【補正の内容】
【００１４】
このように、図柄変動遊技で各表示領域に図柄が停止する順番を、一定とせずに変化させることにより、図柄変動遊技の際に見た目の期待感も様々に変化するため、娯楽性が高められ、遊技者の期待感や視覚的面白味を十分に満たすことができる。
【手続補正９】
【補正対象書類名】明細書
【補正対象項目名】００１７
【補正方法】変更
【補正の内容】
【００１７】
また、前記図柄変動遊技で、可変表示手段の各表示領域毎に各種図柄をスクロール表示する際、特定の図柄のみ出現率を高く設定すれば、各表示領域に図柄が停止する順番によって、図柄変動遊技の当たりハズレに対する見た目の期待感が変化し、よりスリルに富む遊技となる。
【手続補正１０】
【補正対象書類名】明細書
【補正対象項目名】００２８
【補正方法】変更
【補正の内容】
【００２８】
図４に示すように、可変表示手段３０の画面には、前記始動入賞口２０に球が入賞することを条件として、図柄変動遊技が表示されるようになっている。すなわち、一斉に各表示領域毎にスクロール表示が開始され、所定時間経過後に、無作為な順番で各表示領域に１つずつ図柄が停止表示される。
【手続補正１１】
【補正対象書類名】明細書
【補正対象項目名】００４５
【補正方法】変更
【補正の内容】
【００４５】
図柄変動実行手段１２０Ｄは、始動入賞口２０への球の入賞に基づき、可変表示手段３０の各表示領域に各種図柄をスクロール表示させたあと、無作為な順番で各表示領域に何れか１つの図柄が停止する図柄変動遊技を実行するものである。図柄変動遊技における表示内容は、前記無作為抽選手段１１０Ａによる抽選結果に応じて、大当たりやハズレ等に対応した様々な組み合わせの図柄が停止表示されるように、予めプログラムされている。
【手続補正１２】
【補正対象書類名】明細書
【補正対象項目名】００５３
【補正方法】変更
【補正の内容】
【００５３】
前記無作為抽選の結果に応じて（Ｓ２０３）、図柄変動実行手段１２０Ｄからの指令に基づき、可変表示手段３０の画面上で図柄変動遊技が実行される（Ｓ２０４，Ｓ２１０）。すなわち、一斉に第１〜第３の各表示領域毎に、各種図柄のスクロール表示が開始され、所定時間経過後に、予め抽選された図柄停止パターンに対応した順番で、各表示領域に１つずつ図柄が停止表示される。
【手続補正１３】
【補正対象書類名】明細書
【補正対象項目名】００５７
【補正方法】変更
【補正の内容】
【００５７】
以上のように、図柄変動遊技で各表示領域に図柄が停止する順番を、一定とせずに変化させることにより、図柄変動遊技の際に見た目の期待感も様々に変化する。それにより、遊技全体の娯楽性が高められ、遊技者の期待感や視覚的面白味を十分に満たすことができる。
【手続補正１４】
【補正対象書類名】明細書
【補正対象項目名】００６３
【補正方法】変更
【補正の内容】
【００６３】
また、前述した図柄変動遊技で、可変表示手段３０の各表示領域毎に各種図柄がスクロール変化する際、特定の図柄のみ出現率を高く設定してもよい。具体的には例えば、図５に示すように、第１表示領域では、図柄「１」の数を他の３倍とし、第２表示領域では、図柄「３」の数を他の３倍とし、第３表示領域では、図柄「７」の数を他の３倍としている。
【手続補正１５】
【補正対象書類名】明細書
【補正対象項目名】００６６
【補正方法】変更
【補正の内容】
【００６６】
【発明の効果】
本発明に係る遊技機によれば、可変表示遊技において各種図柄をスクロール表示する際に、特定の図柄のみを複数個連続して出現させることで、特定の図柄が他の図柄よりも高い確率で出現するようにするとともに、各表示領域に図柄が停止する順番を変化可能としたので、表示領域に停止する図柄の組合せがリーチや大当りとなることに対する期待感が増すとともに、各表示領域に図柄が停止する順番によって、リーチや大当りとなることに対する期待感が変化するようになるので、図柄変動遊技が単調になることを防止して、視覚的にも面白味のあるものにすることが出来る。
また、各種図柄をスクロール表示する際に、前記表示領域毎に異なる種類の特定図柄を複数個連続して出現させることで、リーチや大当りとなることに対する期待感を持つ機会が増え遊技者の期待感を十分に満たすことができる。